(57)【要約】【課題】屋外等の何処でもまた何時でも手軽に入れたての茶が飲める携帯用茶ボトルを提供する。【解決手段】飲料水が充填されたボトル本体２の飲み口３に蓋部材４を着脱可能に装着してなる携帯用茶ボトルであって、上記蓋部材４に粉末茶６が収納される収納部５を設け、該収納部５の開口５ａを密封シート７により開封可能に閉塞する。【選択図】      図１
2006143327.tif 000002
【特許請求の範囲】
【請求項１】
飲料水が充填されたボトル本体の飲み口に蓋部材を着脱可能に装着してなる携帯用茶ボトルであって、上記蓋部材又は飲み口に茶が収納される収納部を設け、該収納部の開口を密封シートにより開封可能に閉塞したことを特徴とする携帯用茶ボトル。
【請求項２】
請求項１において、上記収納部は上記蓋部材に形成され、該収納部には上記飲み口に螺装可能のねじ部が形成されるとともに粉末茶が収納されており、上記密封シートを剥がして粉末茶を上記飲み口からボトル本体内に流入させるとともに、該飲み口に上記収納部を螺装して該飲み口を閉じることにより上記粉末茶を撹拌可能としたことを特徴とする携帯用茶ボトル。
【請求項３】
請求項１において、上記収納部は上記蓋部材に形成され、該収納部には上記飲み口に螺装可能のねじ部が形成されるとともに粉末茶が収納されており、上記飲み口には開封部が設けられ、該飲み口に上記収納部を螺装することにより、上記開封部が上記密封シートを開封して上記粉末茶をボトル本体内に流入させるとともに、上記粉末茶を攪拌可能としたことを特徴とする携帯用茶ボトル。
【請求項４】
請求項２又は３において、上記収納部には粉末茶とともに不活性ガスが充填されていることを特徴とする携帯用茶ボトル。
【請求項５】
請求項１において、上記収納部はボトル本体の飲み口内に配置された容器からなり、該容器の開口は密封シートにより開封可能に閉塞され、該容器内には、茶葉が窒素ガスとともに封入されており、上記蓋部材を取り外して上記容器を取り出し、該容器の密封シートを剥がすことにより、上記茶葉を上記飲み口からボトル本体内に流入可能となっていることを特徴とする携帯用茶ボトル。
【請求項６】
請求項５において、上記容器は、これの開口縁に形成されたフランジを上記飲み口の上面縁に貼着するか、該上面縁と上記蓋部材の内面とで挟持することにより上記飲み口内に支持されていることを特徴とする携帯用茶ボトル。
【発明の詳細な説明】
【技術分野】
【０００１】
本発明は、何時でも何処でも手軽に入れたての茶が飲めるようにした携帯用茶ボトルに関する。
【背景技術】
【０００２】
一般に市販されている茶ボトルには、予め茶を煎じたものが充填されている。一方、入れたての茶が飲みたい人のために、例えば、特許文献１では、粉末茶を固化して形成したスティック状の茶本体を湯や水に溶かすようにしたものが提案されている。また特許文献２では、携帯用カップの内面に粉末茶を貼着し、カップに湯や水を注ぐことで粉末茶を抽出するようにしたものが提案されている。
【特許文献１】実開昭５５−９８７７３号公報
【特許文献２】実開平５−７２７６８号公報
【発明の開示】
【発明が解決しようとする課題】
【０００３】
ところで、上記従来公報のスティック状の茶本体や携帯用カップを携帯する場合には、湯や水を別途準備する必要があり、何時でも何処でも手軽に入れたての茶を飲むことはできない。
【０００４】
本発明は、上記実情に鑑みてなされたもので、屋外等の何処でも何時でも手軽に入れたての茶を飲むことができる携帯用茶ボトルを提供することを目的としている。
【課題を解決するための手段】
【０００５】
請求項１の発明は、飲料水が充填されたボトル本体の飲み口に蓋部材を着脱可能に装着してなる携帯用茶ボトルであって、上記蓋部材又は飲み口に茶が収納される収納部を設け、該収納部の開口を密封シートにより開封可能に閉塞したことを特徴としている。
【０００６】
請求項２の発明は、請求項１において、上記収納部は上記蓋部材に形成され、該収納部には上記飲み口に螺装可能のねじ部が形成されるとともに粉末茶が収納されており、上記密封シートを剥がして粉末茶を上記飲み口からボトル本体内に流入させるとともに、該飲み口に上記収納部を螺装して該飲み口を閉じることにより上記粉末茶を撹拌可能としたことを特徴としている。
【０００７】
請求項３の発明は、請求項１において、上記収納部は上記蓋部材に形成され、該収納部には上記飲み口に螺装可能のねじ部が形成されるとともに粉末茶が収納されており、上記飲み口には開封部が設けられ、該飲み口に上記収納部を螺装することにより、上記開封部が上記密封シートを開封して上記粉末茶をボトル本体内に流入させるとともに、上記粉末茶を攪拌可能としたことを特徴としている。
【０００８】
請求項４の発明は、請求項２又は３において、上記収納部には粉末茶とともに不活性ガスが充填されていることを特徴としている。
【０００９】
請求項５の発明は、請求項１において、上記収納部はボトル本体の飲み口内に配置された容器からなり、該容器の開口は密封シートにより開封可能に閉塞され、該容器内には、茶葉が窒素ガスとともに封入されており、上記蓋部材を取り外して上記容器を取り出し、該容器の密封シートを剥がすことにより、上記茶葉を上記飲み口からボトル本体内に流入可能となっていることを特徴としている。
【００１０】
請求項６の発明は、請求項５において、上記容器は、これの開口縁に形成されたフランジを上記飲み口の上面縁に貼着するか、該上面縁と上記蓋部材の内面とで挟持することにより上記飲み口内に支持されていることを特徴としている。
【発明の効果】
【００１１】
請求項１の発明によれば、飲料水が充填されたボトル本体の飲み口内又は蓋部材に茶を収納したので、該茶を飲み口からボトル本体内に流入することにより、外出先の屋外等の何処でも、また何時でも手軽に入れたての茶を飲むことができる。
【００１２】
請求項２の発明では、飲料時に密封シートを剥がして粉末茶を飲み口からボトル本体内に入れ、該飲み口を上記収納部で閉じるようにしたので、上記ボトル本体を振って粉末茶を撹拌し、しかる後上記飲み口を開けることにより、簡単に入れたての茶を飲むことができる。
【００１３】
請求項３の発明では、飲み口に収納部を螺着することにより飲み口に設けた開封部が密封シートを切り開いて粉末茶をボトル本体内に流入させるようにしたので、上記ボトル本体に収納部を螺着するとともにこれを振って粉末茶を撹拌することにより、手間をかけることなく簡単に入れたての茶を飲むことができる。
【００１４】
請求項４の発明によれば、収納部に不活性ガスを充填したので粉末茶の鮮度を長期に渡って保つことができる。
【００１５】
請求項５の発明では、ボトル本体の飲み口内に茶葉が封入された容器を収納したので、蓋部材を取り外して容器を取り出し、該容器の密封シートを剥がして茶葉をボトル本体内に流入することにより、外出先の屋外等の何処でも、また何時でも手軽に入れたての茶を飲むことができる。
【００１６】
また上記容器を飲み口内に収納するので、市販されている既存の茶ボトルをそのまま利用することが可能であり、蓋部材に別途収納部を設ける場合に比べてコストの上昇を抑制できる。
【００１７】
請求項６の発明では、容器のフランジを飲み口の上面縁に貼着するか、該上面縁と蓋部材の内面とで挟持したので、携帯中に飲み口から容器が脱落するのを防止できる。
【発明を実施するための最良の形態】
【００１８】
以下、本発明の実施の形態を添付図面に基づいて説明する。
【００１９】
図１は、本発明の第１実施形態による携帯用茶ボトルを説明するための図であり、図１（ａ）は上記茶ボトルの全体構成図、図１（ｂ）は茶を飲むときの説明図である。
【００２０】
図において、１は携帯用茶ボトルであり、これは湯又は水が充填されたボトル本体２に円筒状の飲み口３を一体形成し、該飲み口３に蓋部材４を着脱可能に装着した構成となっている。
【００２１】
上記蓋部材４は、有底円筒状の蓋部４ａの内周面に雌ねじ４ｂを形成した構造を有する。この蓋部材４を上記飲み口３の外周面に形成された雄ねじ３ａに螺着することにより、飲み口３が開閉される。
【００２２】
上記蓋部材４には収納部５が一体形成されており、該収納部５内には粉末茶６が窒素ガス，アルゴンガス等の不活性ガスと共に収納されている。この収納部５は上記蓋部４ａに続いて上方に延びる円筒状のものであり、該収納部５の上面には開口５ａが形成されている。この収納部５は上記蓋部材４の底部４ｃにより独立した空間を有している。これによりボトル本体２内の湯や水により粉末茶６が湿ったりするのを防止している。また上記収納部５の内周面には、上記飲み口３に螺着される雌ねじ５ｂが形成されている。
【００２３】
上記収納部５の開口５ａは密封シート７により閉塞されている。この密封シート７は収納部５の開口部に貼着されており、タブ７ａを引き上げることにより容易に剥がれるようになっている。
【００２４】
本実施形態の茶ボトル１は、ボトル本体１内に天然水を充填し、収納部５に緑茶等の粉末茶６を不活性ガスと共に充填した状態で自動販売機等で販売される。この茶ボトル１内の水は自動販売機内で加熱され、茶を煎じるのに適した温度の湯になっている。茶を飲むには、蓋部材４を弛めてボトル本体２から取り外し、密封シート７のタブ７ａを引き上げて該密封シート７を剥がす。そして蓋部材４を逆さまにして粉末茶６を飲み口３からボトル本体２内に流入させ、そのまま収納部５を飲み口３に螺着して該飲み口３を閉塞する。この状態で、ボトル本体２を振って粉末茶６を撹拌し、しかる後蓋部材４を外して茶を飲む。
【００２５】
このように本実施形態によれば、飲料水が充填されたボトル本体２の飲み口３を開閉する蓋部材４に粉末茶６が収納された収納部５を一体形成し、該収納部５の開口５ａを密封シート７により閉塞したので、茶を飲むときには、密封シート７を剥がして粉末茶６を飲み口３からボトル本体２内に入れ、そのまま収納部５で飲み口３を閉じ、上記ボトル本体２を振って粉末茶６を撹拌することにより、簡単に茶を煎じることができ、外出先の屋外等、何処でも何時でも手軽に入れたての茶を飲むことができる。
【００２６】
また粉末茶６は不活性ガスと共に収納されているので、該粉末茶の鮮度を長期に渡って保つことができる。
【００２７】
図２（ａ），（ｂ）は、本発明の第２実施形態による茶ボトルを説明するための図であり、図中、図１と同一符号は同一又は相当部分を示す。
【００２８】
本実施形態の茶ボトル１では、蓋部材４に一体形成された収納部５に飲み口３に螺着される雌ねじ５ｂが形成されている。また上記飲み口３には、上記収納部５が螺着されたときに上記開口５ａに貼着された密封シート７を切り開いて粉末茶６をボトル本体２内に流入させる開封部８，８が形成されている。
【００２９】
本実施形態では、飲み口３に密封シート７を開封する開封部８を設けたので、飲み口３に収納部５を螺着することにより密封シート７が開封されて粉末茶６がボトル本体２内に流入し、そのままボトル本体２を振って粉末茶６を撹拌することにより、手間をかけることなく簡単に入れたての茶を飲むことができる。
【００３０】
図３（ａ）〜図３（ｃ）は、本発明の第３実施形態による携帯用茶ボトルを説明するための図であり、図中、図１と同一符号は同一又は相当部分を示す。
【００３１】
本実施形態の携帯用茶ボトル１０では、茶葉パック１１が窒素ガスとととも封入された容器１２をボトル本体２の飲み口３内に収容している。この容器１２は、上方に開口する容器本体１２ａの開口縁にフランジ１２ｂを形成し、該フランジ１２ｂに密封シート１３を貼着することにより上記開口を開封可能に閉塞した構造となっている。
【００３２】
上記フランジ１２ｂは、上記飲み口３の上面縁３ａに貼着され、かつ該上面縁３ａと蓋部材１５の内面とで挟持されている。これにより容器１２は脱落することのないよう支持されている。
【００３３】
本実施形態茶ボトルから茶を飲むには、上記蓋部材１５を取り外し、飲み口３から容器１２を取り出し、該容器１２の密封シート１３を剥がす。該容器１２から茶葉パック１１を取り出し、上記飲み口３からボトル本体２内に入れる。これにより入れたての茶を飲むことができる。
【００３４】
本実施形態では、ボトル本体２の飲み口３内に茶葉パック１１が封入された容器１２を収納したので、上述のように容器１２を取り出して茶葉パック１１をボトル本体２内に入れることにより、外出先の屋外等の何処でも、また何時でも手軽に入れたての茶を飲むことができる。
【００３５】
また上記容器１２を飲み口３内に収納したので、市販されている既存の茶ボトルをそのまま利用することが可能であり、蓋部材に別途収納部を設ける場合に比べてコストの上昇を抑制できる。
【００３６】
本実施形態では、上記容器１２のフランジ１２ｂを飲み口３の上面縁３ａに貼着するとともに、該上面縁３ａと蓋部材１５の内面とで挟持したので、茶ボトル１０を携帯する際に、容器１２がボトル本体２内に脱落するのを確実に防止できる。
【００３７】
また上記茶葉パック１１を窒素ガスとともに容器１２内に封入したので、茶葉が酸化して劣化するのを防止でき、長期に渡って新鮮で香りの高い茶を楽しむことができる。ちなみに、本実施形態では、茶葉をそのまま使用するので、特に飲料用温泉水を用いるた場合には、一般の飲料水に比べて短時間でより美味しい茶ができあがる。また茶葉をパックに収容したので、茶葉が飲料水中に拡散されることはない。
【００３８】
なお、上記実施形態では、容器１２を飲み口３内に収納したが、本発明では、容器１２を蓋部材１５の上面に露出させて貼着してもよい。また、図１の蓋部材４に形成された収納部５内に容器１２を収容しても良い。あるいは上記収納部５内に直接茶葉パック１１を窒素ガスと共に封入しても良い。
【図面の簡単な説明】
【００３９】
【図１】本発明の第１実施形態による携帯用茶ボトルを説明するための図である。
【図２】本発明の第２実施形態による携帯用茶ボトルを説明するための図である。
【図３】本発明の第３実施形態による携帯用茶ボトルを説明するための図である。
【符号の説明】
【００４０】
１，１０  携帯用茶ボトル
２  ボトル本体
３  飲み口
３ａ  上面縁
４，１５  蓋部材
５  収納部
５ａ  開口
６  粉末茶
７  密封シート
８  開封部
１１  茶葉パック
１２  容器
１２ｂ  フランジ
１３  密封シート
【図１】
2006143327.tif 000003
【図２】
2006143327.tif 000004
【図３】
2006143327.tif 000005